(57)【要約】      （修正有）【課題】シュレッダ−機による幼児の指挟み、指切断事故等を未然に防止する。【解決手段】シュレッダ−機の刃の部分から、５ｃｍ位上方からのみ、紙を差し込める補助器。つまり、５ｃｍ位上方からだと、幼児の指も届かなくなる。また、幅も徐々に狭くなる為、指が入らない構図。これを取り付けることにより、幼児の指切断事故等が未然に防げる。（上方４ｍｍ、下方２ｍｍでラッパ状に徐々に狭くなる。）【選択図】図１
2009056464.tif 000002
【特許請求の範囲】
【請求項１】
・シュレッダ−機による幼児の指切断等の事故防止用補助的部品である「シュレッダ−補助器」
・シュレッダ−補助器において、
形状：（１）シュレッダ−機本体に取り付け、
（２）ラッパ状の形状を有し、
（３）シュレッダ−補助器の下部は、シュレッダ−機本体の刃部分にシュレッダ−補助器の落ち込み防止の為、プラスチック製の部分が、ストッパ−の役割を果たす形状を有しており、
（４）シュレッダ−補助器に埋め込まれた金属製爪部分は、ストッパ−底部の外側からストッパ−上部に向かって伸び、ストッパ−と対になり、両側からシュレッダ−機本体を挟み込み、バネ状で、内側へ押し戻そうとする力が働き、
（５）金属製爪部分は、上部が、蛇の鎌首状に反り返った形状を有しており、
（６）金属製爪部分は蛇の鎌首状から、シュレッダ−補助器の下部へ向かって、ストッパ−底部を包むが如く、カ−ブを描きながら、シュレッダ−補助器内部へ到達する形状を有する、
（７）金属製爪部分の一部は、約１ｃｍ、シュレッダ−補助器の下部に、埋め込まれた形状を有しており、
（８）シュレッダ−補助器の横幅は、約３５ｃｍであるが、これはメ−カ−や機種により、シュレッダ−機本体の刃部分の横幅が異なる為、約３５ｃｍとしたが、Ａ３用紙が余裕を持って縦に入る位の横幅であり、
材質：（９）シュレッダ−補助器の全体はプラスチック製であり、
（１０）シュレッダ−補助器に埋め込まれた爪部分は金属製であり、
色：  （１１）シュレッダ−補助器の全体の色は、透明であり、
（１２）シュレッダ−補助器に埋め込まれた、金属製爪部分の色は黒であり、
構造又は組み合わせ：（１３）金属製爪部分が、バネ状に、押し戻そうとする力が働くことにより、
（１４）シュレッダ−機本体を、挟み込む状態になり、
（１５）シュレッダ−機本体から、着脱式に、取り付け取り外しが可能、
以上からなるシュレッダ−補助器。
【発明の詳細な説明】
【技術分野】
【０００１】シュレッダ−機による幼児の指切断等の怪我を防ぐ為の補助的部品。
【背景技術】
【０００２】近年、情報漏洩を防ぐ為、シュレッダ−機が個人の家庭でも普及するようになり、それに伴い幼児の指切断等の事故も多発してきているが、それを防ぐ手段として、補助的な器具を取り付けることにより、幼児の怪我等を未然に防止しようとするもので、再度製作し直すより安価。
【発明の開示】
【発明が解決しようとする課題】
【０００３】幼児の指挟み事故を未然に防ぐ。
【課題を解決する為の手段】
【０００４】シュレッダ−機本体にシュレッダ−補助器を取り付ける。
【発明の効果】
【０００５】シュレッダ−補助器を取り付けることにより、シュレッダ−機本体の刃部分に幼児の指が届かなくなり、指切断等の怪我を未然に防ぐことができる。
【図面の簡単な説明】
【０００６】
【図１】シュレッダ−補助器の横断面図  シュレッダ−機本体の作動しているシュレッダ−機の刃部分の５ｃｍ位上方から紙を差し込む為の補助器であり、本考案「図１」は横断面図であるが、シュレッダ−補助器が徐々に狭くなり幼児の指が入り難くなることを表している。
【０００７】
【図２】シュレッダ−補助器の正面図  本考案の正面図であるが、シュレッダ−機本体の刃部分の上方にシュレッダ−補助器の下方を取り付ける。
【０００８】
【図３】シュレッダ−補助器を接続した全体の横断面図
【０００９】
【図４】シュレッダ−補助器を接続した全体の正面図
【符号の説明】
【００１０】「図１」シュレッダ−補助器の横断面図において
（ア）シュレッダ−補助器の高さ５ｃｍ、
（イ）シュレッダ−補助器の上部外幅２ｃｍ、
（ウ）シュレッダ−補助器上部片側の厚さ８ｍｍ、
（エ）シュレッダ−補助器下部片側の厚さ２ｍｍ、
（オ）シュレッダ−補助器の上部内幅４ｍｍ、
（カ）シュレッダ−補助器の下部内幅２ｍｍ、
（キ）シュレッダー補助器の下部外幅６ｍｍ、
（ク）シュレッダー補助器の上部の高さから下方へ１ｃｍの所迄、ラッパ状のカ−ブを描く、
（ケ）シュレッダ−補助器の底部から上方へ計って、ストッパー片側高さ１ｃｍ
（コ）ストッパ−上部片側の厚さ１ｃｍ、
（サ）ストッパ−底部片側の厚さ４ｍｍ、
（シ）ストッパ−上部の点Ａから計って下方へ５ｍｍの所を起点Ｂとし、
（ス）ストッパ−底部の点Ｃにかけてシュレッダー機本体に沿うようなカ−ブを描く
（セ）シュレッダ−補助器に埋め込まれた金属製爪部分は高さ１ｃｍ、
（ソ）金属製爪部分の厚さ０．７ｍｍ、
（タ）金属製爪部分はシュレッダ−補助器の内部壁から計って１ｍｍの所に埋め込まれ、
（チ）ストッパ−底部の点Ｃから、上方へ計って、蛇の鎌首状の頂点までの高さ１．５ｃｍ、
（ツ）蛇の鎌首型の上部の横断面幅４ｍｍ、
（テ）蛇の鎌首状は、蛇の鎌首型の頂点から下方へ向かって計り８ｍｍの所迄、
（ト）金属製爪部分の蛇の鎌首状終点を点Ｄとし、
（ナ）点Ｄから水平に直線を伸ばし、其処から蛇の鎌首状の立ち上がり迄の角度を１００度とし、
（ニ）点Ｄからストッパー底部へ向かっての傾斜角は、金属製爪部分底部から水平に直線を伸ばした所まで計って４５度とし、
「図２」において
（ヌ）シュレッダ−補助器の高さ５ｃｍ
（ネ）シュレッダ−補助器の横幅約３５ｃｍ
（ノ）シュレッダ−補助器の上部である紙差し込み口は、外幅２ｃｍ、
（ハ）シュレッダー補助器の上部である紙差し込み口の内幅４ｍｍ、
（ヒ）シュレッダ−補助器の下部でありシュレッダ−機本体に取り付ける部分は外幅６ｍｍ、
（フ）シュレッダ−補助器下部であり、シュレッダ−機本体に取り付ける部分の内幅は２ｍｍ、
（ヘ）金属製のバネ状でシュレッダ−機本体紙差込口を挟み込む、金属製爪部分の一部１ｃｍは、プラスチック製のシュレッダ−補助器に埋め込まれており、其処とバネのように押し戻し挟み込む、
（ホ）ストッパ−底部から計って、高さ１．５ｃｍの蛇の鎌首状に戻って返す部分があり、
「図３」シュレッダ−補助器を接続した全体の横断面図において
（マ）シュレッダ−補助器の上部である紙差込口は、徐々に狭くなっており、
（ミ）シュレッダ−補助器の上部外幅２ｃｍ、
（ム）シュレッダ−補助器の下部外幅は６ｍｍ、
（メ）シュレッダ−補助器の上部内幅は４ｍｍ、
（モ）シュレッダ−補助器の下部内幅は２ｍｍ、
（ヤ）シュレッダ−補助器が挿入し易いよう、傾斜角を、シュレッダ−機本体の水平面から測って８５度とし、
「図４」シュレッダ−補助器を接続した全体の正面図において
（ユ）シュレッダ−補助器の高さ５ｃｍ、
（ヨ）シュレッダ−補助器の横幅約３５ｃｍ、
（ラ）シュレッダ−補助器の上部外幅は２ｃｍ、
（リ）シュレッダ−補助器の上部内幅は４ｍｍ、
以上からなるシュレッダ−補助器。
【図１】
2009056464.tif 000003
【図２】
2009056464.tif 000004
【図３】
2009056464.tif 000005
【図４】
2009056464.tif 000006